(57)【要約】【課題】被加工物の表面に形成された金属層を剥離させることなく該金属層をバイト工具により除去する。【解決手段】ダイヤモンドからなる切刃を有するバイト工具が装着されたバイト切削装置において、表面に金属層を有する被加工物の該金属層を該バイト工具によってバイト切削する被加工物の切削加工方法であって、該切刃に付着した切削屑を除去する除去部材を準備する準備工程と、該被加工物の表面を該バイト工具でバイト切削するバイト切削工程と、該バイト切削工程の前または後に、該バイト工具で該除去部材をバイト切削することにより該バイト工具の該切刃に付着した切削屑を除去する切削屑除去工程と、を備える。【選択図】図２
2019217599.tif 000002
【特許請求の範囲】
【請求項１】
ダイヤモンドからなる切刃を有するバイト工具が装着されたバイト切削装置において、表面に金属層を有する被加工物の該金属層を該バイト工具によってバイト切削する被加工物の切削加工方法であって、
該切刃に付着した切削屑を除去する除去部材を準備する準備工程と、
該被加工物の表面を該バイト工具でバイト切削するバイト切削工程と、
該バイト切削工程の前または後に、該バイト工具で該除去部材をバイト切削することにより該バイト工具の該切刃に付着した切削屑を除去する切削屑除去工程と、
を備えることを特徴とする被加工物の切削加工方法。
【請求項２】
ダイヤモンドからなる切刃を有するバイト工具が装着されたバイト切削装置において、表面に金属層を有する被加工物の該金属層を該バイト工具によってバイト切削する被加工物の切削加工方法であって、
該切刃に付着した切削屑を除去する除去部材を準備する準備工程と、
該被加工物の表面を該バイト工具でバイト切削するバイト切削工程と、を備え、
該バイト切削工程では、該被加工物の表面を該バイト工具でバイト切削すると同時に該除去部材を該バイト工具でバイト切削することにより該バイト工具の該切刃に付着した切削屑を除去することを特徴とする被加工物の切削加工方法。
【請求項３】
該除去部材は、支持部材と、該支持部材の表面に形成された樹脂被膜と、を備えることを特徴とする請求項１に記載の被加工物の切削加工方法。
【請求項４】
該除去部材は、樹脂部材であることを特徴とする請求項１に記載の被加工物の切削加工方法。
【発明の詳細な説明】
【技術分野】
【０００１】
本発明は、バイト工具が装着されたバイト切削装置において、表面に金属層を有する被加工物の該金属層を該バイト工具によってバイト切削する被加工物の切削加工方法に関する。
【背景技術】
【０００２】
電子機器に搭載されるデバイスチップでは、近年、所定の実装対象へ該デバイスチップを実装する際の実装面積の省面積化や、ＳｏＣ（System-on-a-chip）における低消費電力化等の目的のため、複数のチップが積層されて１つのパッケージに収められている。従来、積層された複数のチップはワイヤボンディングにより互いに接続されていたが、結線のための領域が必要となる分パッケージを大きくしなければならなかった。
【０００３】
そこで、例えば、チップとは別に基板を用意し、該基板に厚さ方向に沿う貫通電極を形成し、チップ間に該基板を配設して各チップ間を該貫通電極で接続する技術が開発されている。なお、チップ間に配設される基板はインターポーザと呼ばれ、該基板に形成された貫通電極により上下のチップを接続する技術はＴＳＶ（Through-silicon via）と呼ばれている。該基板には、例えば、シリコン基板が使用される。
【０００４】
インターポーザとなるシリコン基板への貫通電極の形成は、例えば、以下に説明する方法で実施される（特許文献１及び特許文献２参照）。まず、エッチング等の方法によりシリコン基板の表面側に穴を形成し、電解めっき等の方法でシリコン基板の表面及び該穴の内部に金属層を形成する。
【０００５】
その後、シリコン基板の表面に形成された金属層をＣＭＰ（Chemical Mechanical Polishing）等の方法により除去し、シリコン基板の裏面を研削して穴の底面を除去し、金属層を裏面側に露出させ、該金属層を貫通電極とする。その後、シリコン基板の表面及び裏面に露出された貫通電極に金属バンプを形成する。
【０００６】
また、シリコン基板の表面に形成された金属層を除去する際、ＣＭＰを実施するのに代えて、ダイヤモンドからなる切刃を有するバイト工具を備えたバイト切削装置において、該金属層をバイト切削して除去する方法も開発されている（特許文献３参照）。
【先行技術文献】
【特許文献】
【０００７】
【特許文献１】特開２０１０−１１８６４５号公報
【特許文献２】特開２０１３−５５３１３号公報
【特許文献３】特開２０１６−４１４５９号公報
【発明の概要】
【発明が解決しようとする課題】
【０００８】
バイト切削によりシリコン基板の表面に形成された金属層を除去すると、金属を含む切削屑が発生し、バイト工具の切刃の表面に該切削屑が付着する。バイト工具を使用したバイト切削を繰り返すと切刃に付着する切削屑が多くなり、シリコン基板の表面に形成された金属層の剥離が観測されるようになった。該金属層が剥離するとシリコン基板や貫通電極に損傷が生じるため、バイト工具を取り外して交換、または、清掃等の作業が必要となるが、この場合、バイト切削装置を長期に停止しなければならず加工効率が低下する。
【０００９】
本発明はかかる問題点に鑑みてなされたものであり、その目的とするところは、被加工物の表面に形成された金属層を剥離させることなく該金属層をバイト工具により除去できる被加工物の切削加工方法を提供することである。
【課題を解決するための手段】
【００１０】
本発明の一態様によれば、ダイヤモンドからなる切刃を有するバイト工具が装着されたバイト切削装置において、表面に金属層を有する被加工物の該金属層を該バイト工具によってバイト切削する被加工物の切削加工方法であって、該切刃に付着した切削屑を除去する除去部材を準備する準備工程と、該被加工物の表面を該バイト工具でバイト切削するバイト切削工程と、該バイト切削工程の前または後に、該バイト工具で該除去部材をバイト切削することにより該バイト工具の該切刃に付着した切削屑を除去する切削屑除去工程と、を備えることを特徴とする被加工物の切削加工方法が提供される。
【００１１】
また、本発明の他の一態様によれば、ダイヤモンドからなる切刃を有するバイト工具が装着されたバイト切削装置において、表面に金属層を有する被加工物の該金属層を該バイト工具によってバイト切削する被加工物の切削加工方法であって、該切刃に付着した切削屑を除去する除去部材を準備する準備工程と、該被加工物の表面を該バイト工具でバイト切削するバイト切削工程と、を備え、該バイト切削工程では、該被加工物の表面を該バイト工具でバイト切削すると同時に該除去部材を該バイト工具でバイト切削することにより該バイト工具の該切刃に付着した切削屑を除去することを特徴とする被加工物の切削加工方法が提供される。
【００１２】
好ましくは、該除去部材は、支持部材と、該支持部材の表面に形成された樹脂被膜と、を備える。
【００１３】
また、好ましくは、該除去部材は、樹脂部材である。
【発明の効果】
【００１４】
本発明の一態様においては、ダイヤモンドからなる切刃を有するバイト工具の該切刃に付着した切削屑を除去する除去部材を準備する。該除去部材を該バイト工具でバイト切削すると、該切刃に付着した切削屑が該除去部材に擦り付けられ、該切削屑が積極的に切刃から除去される。
【００１５】
そのため、本発明の一態様によると、バイト切削装置が備えるバイト工具の切刃の表面を清浄な状態に保つことができるため、被加工物の表面に形成された金属層をバイト切削により除去する際に、金属層の剥離が生じにくくなる。このとき、バイト工具をバイト切削装置から取り外す必要がなく、バイト切削装置の停止時間は最小限に抑えられる。
【００１６】
したがって、本発明により被加工物の表面に形成された金属層を剥離させることなく該金属層をバイト工具により除去できる被加工物の切削加工方法が提供される。
【図面の簡単な説明】
【００１７】
【図１】図１（Ａ）は、金属層が形成された被加工物を模式的に示す斜視図であり、図１（Ｂ）は、除去部材を模式的に示す斜視図である。
【図２】切削屑除去工程を模式的に示す一部断面側面図である。
【図３】バイト切削工程の一例を模式的に示す上面図である。
【図４】図４（Ａ）は、被加工物の切削加工方法の一例を示すフローチャートであり、図４（Ｂ）は、被加工物の切削加工方法の他の一例を示すフローチャートである。
【発明を実施するための形態】
【００１８】
添付図面を参照して、本発明の実施形態について説明する。まず、本実施形態に係る被加工物の切削加工方法により加工される被加工物について説明する。図１（Ａ）は、金属層３が形成された被加工物１を模式的に示す斜視図である。被加工物１は、例えば、積層された複数のデバイスチップ間を電気的に接続するインターポーザとなる円板状のシリコン基板である。該シリコン基板が所定の大きさに切り出されると、インターポーザが形成される。
【００１９】
被加工物１には、予め貫通電極が埋め込まれるための穴（不図示）が形成される。該穴を形成する際には、貫通電極を所定の箇所に形成するために、例えば、レジスト膜を被加工物１の表面１ａに塗布し、レジスト膜の所定の領域を露光して現像し、被加工物１の表面１ａの該箇所を露出させる。次に、露出された該箇所にエッチング等の方法により所定の深さの穴を形成する。そして、レジスト膜を除去し、該穴を埋めるために金属層３を被加工物１の表面１ａに形成する。
【００２０】
その後、被加工物１の表面１ａ側でバイト切削を実施して該穴の外部において金属層３を除去する。そして、被加工物１の裏面１ｂ側を研削して所定の厚さに薄化すると、該穴の底部が除去されて金属層３が裏面１ｂ側に露出される。以上により、該穴に埋め込まれた該金属層３が貫通電極として機能するインターポーザが形成される。該被加工物１の表面１ａ側及び裏面１ｂ側に露出された該貫通電極の露出面には、バンプが形成される。ここで、金属層３は、例えば、銅、アルミニウム、金等の金属からなる。
【００２１】
なお、本実施形態に係る被加工物１の切削加工方法における被加工物１はこれに限定されない。例えば、被加工物１は、インターポーザとなるガラス基板でもよい。または、表面に複数のデバイスが形成され、積層された金属配線層を含み、バイト切削が実施されて平坦化されるデバイスウェーハでもよい。
【００２２】
被加工物１の表面１ａ側をバイト切削する際には、バイト工具を備えるバイト切削装置が使用される。次に、バイト切削装置２について図２を用いて説明する。図２に、バイト切削装置２を模式的に示す。
【００２３】
図２に示す通り、バイト切削装置２は、チャックテーブル４を備える。チャックテーブル４は、上面側に露出する多孔質部材と、該多孔質部材に接続された吸引源（不図示）と、を備え、該多孔質部材の上面は、被加工物１を保持する保持面となる。該チャックテーブル４は、該保持面に平行な面に沿った方向に移動可能である。
【００２４】
バイト切削装置２は、被加工物１をバイト切削するバイト切削ユニット６をチャックテーブル４の上方に備える。バイト切削ユニット６は、チャックテーブル４の保持面に垂直な方向に沿ったスピンドル８と、該スピンドル８の下端に固定された円板状のホイールマウント１０と、を備える。ホイールマウント１０の下面には、外周部にバイト工具１４が装着されたバイトホイール１２が固定される。バイトホイール１２に装着されたバイト工具１４は、ダイヤモンドからなる切刃を下端に備える。
【００２５】
スピンドル８をチャックテーブル４の保持面に垂直な方向の周りに回転させると、バイトホイール１２に装着されたバイト工具１４が回転する。このときのバイト工具１４の回転軌道の半径が被加工物１の径よりも大きくなるように、バイトホイール１２の所定の位置にバイト工具１４が装着される。
【００２６】
被加工物１の表面１ａに形成された金属層３をバイト工具１４でバイト切削すると、金属層３に由来する金属を含む切削屑が発生し、バイト工具１４の切刃に付着する。切刃に多量の切削屑が付着したバイト工具１４を使用してバイト切削を繰り返すと、被加工物１の表面１ａからの金属層３の剥離が生じやすくなる。
【００２７】
該金属層３が剥離すると、被加工物１や被加工物１に形成された穴に埋め込まれた金属層３（貫通電極）に損傷が生じる。そのため、バイト工具１４を取り外して交換、または、清掃等の作業が必要となるが、この場合、バイト切削装置２を長期に停止しなければならず加工効率が低下する。そこで、本発明の一態様に係る被加工物の切削加工方法では、バイト工具１４に付着した切削屑を除去する除去部材を使用して、該切削屑をバイト工具１４から除去する。
【００２８】
次に、該除去部材５について、図１（Ｂ）を用いて説明する。図１（Ｂ）は、除去部材５を模式的に示す斜視図である。除去部材５は、例えば、被加工物１と同程度の径を有する円板状の支持部材７と、該支持部材７の上面に形成された樹脂被膜９と、を有する。
【００２９】
該支持部材７は、例えば、アクリル板、ポリカーボネート板、ガラス基板等の部材で形成される。または、円板状のシリコン基板でもよい。支持部材７は、表面及び裏面が平坦であり、表面に樹脂被膜９（樹脂部材）が形成される。
【００３０】
樹脂被膜９は、例えば、フォトリソグラフィー工程に使用されるレジスト膜や、ポリオレフィン（ＰＯ）膜等であり、支持部材７の表面上に印刷やスピンコート等の方法により成膜される。すなわち、該支持部材７は、樹脂被膜９を支持する機能を有する。なお、樹脂被膜９は、ポリ塩化ビニルやポリエチレンテレフタレート（ＰＥＴ）等の材料で形成されてもよい。
【００３１】
金属を含む切削屑が付着したバイト工具１４から切削屑を除去する際は、除去部材５をバイト切削装置２のチャックテーブル４に保持させ、該バイト工具１４で樹脂被膜９をバイト切削させる。すると、切刃に付着した切削屑が樹脂被膜９に擦り付けられ切刃から除去される。
【００３２】
なお、樹脂被膜９が過剰に硬い場合、樹脂被膜９をバイト切削する際にバイト工具１４に損傷が生じる恐れがある。その一方で、樹脂被膜９が過剰に柔らかい場合、樹脂被膜９のバイト切削を実施しても切刃に付着した切削屑が十分に除去されない。そこで、樹脂被膜９に使用されるレジスト膜や、ＰＯ膜には、適切な硬さとなる材料選択される。
【００３３】
ポリ塩化ビニルやＰＥＴを樹脂被膜９（樹脂部材）として除去部材５に使用する場合、該樹脂被膜９（樹脂部材）の機械的な強度が十分であれば除去部材５は支持部材７を備えなくてもよい場合がある。その一方で、樹脂被膜９の機械的な強度が十分ではない場合、支持部材７が必要となる。すなわち、支持部材７は、該支持部材７よりも柔らかく機械的な強度が低い樹脂被膜９を支持する機能を有する。
【００３４】
次に、本実施形態に係る被加工物の切削加工方法について説明する。図４（Ａ）は、該切削加工方法の各工程の流れを示すフローチャートである。図４（Ａ）に示す通り、該切削加工方法は、バイト工具１４の切刃に付着した切削屑を除去する除去部材５を準備する準備工程Ｓ１と、被加工物１の表面１ａをバイト工具１４でバイト切削するバイト切削工程Ｓ２と、を含む。
【００３５】
そして、該バイト切削工程Ｓ２の前または後に、バイト工具１４で除去部材５をバイト切削することによりバイト工具１４の該切刃に付着した切削屑を除去する切削屑除去工程Ｓ３を実施する。または、バイト切削工程Ｓ２において切刃に付着した切削屑を除去してもよく、この場合における該切削加工方法の各工程の流れを図４（Ｂ）に示す。以下、該切削加工方法の各工程について詳述する。
【００３６】
まず、準備工程Ｓ１について説明する。準備工程Ｓ１では、除去部材５を準備する。準備工程Ｓ１では、バイト切削工程Ｓ２によりバイト切削される被加工物１の種別や、バイト切削の内容により好ましい種別の除去部材５が選択されてもよい。
【００３７】
次に、バイト切削工程Ｓ２について説明する。バイト切削工程Ｓ２では、チャックテーブル４をバイト切削ユニット６の下方から外れた位置に移動させる。そして、裏面１ｂ側を下方に向けた状態で被加工物１をチャックテーブル４の保持面上に載せる。その後、該吸引源を作動させて被加工物１に負圧を作用させることでチャックテーブル４に被加工物１を吸引保持させる。
【００３８】
次に、バイト切削ユニット６のスピンドル８を回転させてバイト工具１４を回転させた状態で、バイト工具１４を所定の高さ位置に下降させる。その後、チャックテーブル４をバイト切削ユニット６の下方を通過するように移動させる。
【００３９】
なお、バイト工具１４の高さ位置は、被加工物１の表面１ａに形成された金属層３を除去できる高さ位置とする。すなわち、バイト切削工程Ｓ２を実施すると、バイト切削装置２において被加工物１の表面１ａがバイト切削され、被加工物１の表面１ａに形成された金属層３が除去される。その後、被加工物１がチャックテーブル４から取り外される。
【００４０】
被加工物１の表面１ａをバイト切削すると、金属層３に由来する切削屑が発生し、徐々にバイト工具１４の切刃に付着していく。そこで、本実施形態に係る被加工物１の切削加工方法では、切削屑除去工程Ｓ３を実施してバイト工具１４の切刃から切削屑を除去する。
【００４１】
次に、切削屑除去工程Ｓ３について説明する。図２は、切削屑除去工程Ｓ３を模式的に示す一部断面側面図である。切削屑除去工程Ｓ３では、まず、チャックテーブル４をバイト切削ユニット６の下方から外れた位置に移動させる。そして、チャックテーブル４の保持面上に樹脂被膜９側を上方に向けた状態で除去部材５を載せ、吸引源を作動させて除去部材５に負圧を作用させることでチャックテーブル４に除去部材５を吸引保持させる。
【００４２】
次に、バイト切削ユニット６のスピンドル８を回転させてバイト工具１４を回転させた状態で、バイト工具１４を所定の高さ位置に下降させる。その後、チャックテーブル４をバイト切削ユニット６の下方を通過するように移動させる。すると、除去部材５の樹脂被膜９がバイト工具１４によりバイト切削される。
【００４３】
なお、バイト工具１４の高さ位置は、除去部材５の樹脂被膜９をバイト切削できる高さ位置とする。例えば、バイト工具１４の切刃の下端が樹脂被膜９の上面から５μｍ程度低い高さ位置となるようにバイト工具１４が所定の高さ位置に位置付けられる。そして、除去部材５の樹脂被膜９は、切削屑除去工程Ｓ３においてバイト工具１４の切刃が樹脂被膜９に切り込む深さよりも厚く形成され、例えば、３０μｍ程度の厚さとされる。
【００４４】
バイト工具１４により樹脂被膜９をバイト切削すると、バイト工具１４に付着している金属層３に由来する切削屑が樹脂被膜９に擦り付けられて該切刃から脱落する。したがって、バイト工具１４の切刃の表面が清浄な状態となるため、その後、次の被加工物の表面に形成された金属層をバイト切削により除去する際に、金属層の剥離が生じにくくなる。
【００４５】
切削屑除去工程Ｓ３は、該バイト切削工程Ｓ２の前または後に実施される。バイト切削工程Ｓ２の前に実施する場合、バイト切削工程Ｓ２でバイト切削の対象となる被加工物１よりも前にバイト切削装置２において加工された他の被加工物に由来する切削屑がバイト工具１４の切刃から除去される。そのため、切削屑除去工程Ｓ３を実施することで、切削屑が除去されたバイト工具１４がバイト切削工程Ｓ２で使用されて被加工物１がバイト切削される。
【００４６】
また、切削屑除去工程Ｓ３をバイト切削工程Ｓ２の後に実施する場合、バイト切削工程Ｓ２で被加工物１をバイト切削した際に生じバイト工具１４の切刃に付着した切削屑を該切刃から除去できる。そのため、次にバイト切削装置２で他の被加工物をバイト切削する際に、被加工物１に由来する切削屑が除去されたバイト工具１４が使用される。
【００４７】
いずれにしても、切削屑除去工程Ｓ３を実施すると、交換または清掃のためにバイト切削装置２からバイト工具１４を取り外す必要がない。そのため、バイト切削工程Ｓ２において被加工物１からの金属層３の剥離を抑制するためにバイト切削装置２の稼働を停止させる時間を短縮化でき、バイト切削装置２における被加工物１の加工効率を向上できる。
【００４８】
さらに、バイト工具１４の切刃からの切削屑の除去は、バイト切削工程Ｓ２が実施される間に実施されてもよい。すなわち、バイト切削工程Ｓ２では、被加工物１の表面１ａをバイト工具１４でバイト切削すると同時に除去部材５をバイト工具１４でバイト切削することによりバイト工具１４の切刃に付着した切削屑を除去してもよい。
【００４９】
バイト切削工程Ｓ２においてバイト工具１４の切刃に付着した切削屑を除去する場合について図３を用いて説明する。図３は、バイト切削工程Ｓ２の一例を模式的に示す上面図である。図３には、図２に示すバイト切削装置２と同様に構成されるバイト切削装置のチャックテーブル１６の上面図が示される。また、図３には、バイト切削ユニットが備えるバイトホイールに装着されたバイト工具の軌道１４ａが二点鎖線で示されている。
【００５０】
バイト切削工程Ｓ２では、まず、チャックテーブル１６の上面の保持面上に、被加工物１の大きさに相当する開口と、除去部材５の大きさに相当する開口と、が設けられた円板状の保持枠１１が載せられる。ここで、保持枠１１の大きさは、チャックテーブル１６の保持面の大きさに合わせて選択される。
【００５１】
次に、チャックテーブル１６の保持面の該保持枠１１の開口中に露出された領域には、それぞれ、被加工物１と、除去部材５と、が載せられる。そして、チャックテーブル１６が備える吸引源（不図示）を作動させて、保持枠１１と、被加工物１と、除去部材５と、を吸引保持する。
【００５２】
次に、バイト工具を所定の高さに下降させ、図３に示す軌道１４ａに沿ってバイト工具を回転させる。そして、チャックテーブル１６を保持面に平行な方向に移動させる。すると、被加工物１がバイト工具１４によりバイト切削される。ここで、チャックテーブル１６には、被加工物１だけでなく除去部材５が保持されており、被加工物１をバイト切削するバイト工具の軌道１４ａは該除去部材５にもかかる。そのため、同時に除去部材５もバイト切削される。
【００５３】
したがって、図３に示すバイト切削工程Ｓ２では、被加工物１のバイト切削により生じた加工屑が直ちに除去部材５により切刃から除去される。そのため、バイト切削工程Ｓ２を実施している間においても、バイト工具の切刃が常に清浄に保たれるため、被加工物１の金属層３の剥離が抑制される。なお、図３に示す通り、上方から見たときに時計回りとなる回転方向で軌道１４ａに沿ってバイト工具を回転させてもよく、バイト工具を反時計回りとなる回転方向で回転させてもよい。
【００５４】
さらに、バイト切削工程Ｓ２において切削屑を切刃から除去する場合、保持枠１１に代えて開口を有さない円形の粘着テープを使用してもよい。この場合、チャックテーブル１６の保持面の径に相当する径の円形の粘着テープが使用される。バイト切削工程Ｓ２では、該粘着テープの粘着面に被加工物１と、除去部材５と、を貼着し、該粘着面を上方に向けた状態の該粘着テープをチャックテーブル１６に保持させる。そして、バイト工具により被加工物１をバイト切削する。
【００５５】
この場合においても、被加工物１のバイト切削を実施している間、バイト切削により発生した加工屑が除去部材５により直ちに切刃から除去される。なお、被加工物１と、除去部材５と、を同時に該粘着テープに貼着できる範囲において、該粘着テープは様々な大きさの被加工物１及び除去部材５に使用可能である。
【００５６】
バイト切削工程Ｓ２において切削屑を切刃から除去する場合、バイト切削工程Ｓ２とは別に切削屑除去工程Ｓ３を実施する必要がないため、バイト切削装置の稼働を停止させる時間が極めて少なくなる。そのため、バイト切削装置で実施される被加工物１の加工の効率が極めて高くなる。
【００５７】
以上に説明する通り、本実施形態に係る被加工物の切削加工方法によると、被加工物の表面に形成された金属層を剥離させることなく該金属層をバイト工具により除去できる。
【００５８】
なお、本発明は上記実施形態の記載に限定されず、種々変更して実施可能である。例えば、上記実施形態では、被加工物１が貫通電極を備えるシリコン基板である場合を例に説明したが、本発明の一態様はこれに限定されない。被加工物１は、被加工面に金属を備え、バイト切削されることで該金属を含む切削屑が生じる基板であれば、インターポーザとなるシリコン基板に限られない。
【００５９】
上記実施形態に係る構造、方法等は、本発明の目的の範囲を逸脱しない限りにおいて適宜変更して実施できる。
【符号の説明】
【００６０】
１  被加工物
１ａ  表面
１ｂ  裏面
３  金属層
５  除去部材
７  支持部材
９  樹脂被膜
１１  保持枠
２  バイト切削装置
４，１６  チャックテーブル
４ａ  保持面
６  バイト切削ユニット
８  スピンドル
１０  ホイールマウント
１２  バイトホイール
１４  バイト工具
【図１】
2019217599.tif 000003
【図２】
2019217599.tif 000004
【図３】
2019217599.tif 000005
【図４】
2019217599.tif 000006